(57)【特許請求の範囲】
【請求項１】
液晶装置において、
第１の基板と、
前記第１の基板と対向するように配置される第２の基板と、
前記第１の基板および前記第２の基板の間に設けられる液晶層と、
前記第２の基板の前記第１の基板の一辺から張り出した部分上に接続された液晶駆動用ＬＳＩと、
前記液晶駆動用ＬＳＩに信号を入力するためのＦＰＣと、
を備え、
前記第２の基板上に第１のラバーコネクタ及び第２のラバーコネクタが配置され、前記第１のラバーコネクタ及び前記第２のラバーコネクタ上に前記ＦＰＣが配置され、
前記第１のラバーコネクタ及び第２のラバーコネクタを介して前記ＦＰＣが前記第２の基板に電気的に接続され、
前記第１のラバーコネクタ及び前記第２のラバーコネクタは、それらの間に前記液晶駆動用ＬＳＩが位置するように配置され、
且つ前記液晶駆動用ＬＳＩおよび前記第１のラバーコネクタ、前記第２のラバーコネクタが前記第１の基板の前記一辺に沿って並んで配置されており、
前記ＦＰＣ、前記第１のラバーコネクタ、前記第２のラバーコネクタ、前記液晶駆動用ＬＳＩ及び前記第２の基板は、ケースおよび保持部材の間に配置され、
前記ケースには、前記ＦＰＣ、前記第１のラバーコネクタ及び第２のラバーコネクタの位置決めを行うためのツメが設けられていることを特徴とする液晶装置。
【請求項２】
請求項１に記載の液晶装置において、
前記ツメの前記ケースからの高さは、前記第１のラバーコネクタの厚さおよび前記ＦＰＣの厚さの和より小さいことを特徴とする液晶装置。
【請求項３】
請求項２に記載の液晶装置において、前記ツメは前記ケースの一部を折り曲げることによって形成されてなることを特徴とする液晶装置。
【請求項４】
請求項１乃至３のいずれか１項に記載の液晶装置を備えることを特徴とする電子機器。
【発明の詳細な説明】
【０００１】
【発明の属する技術分野】
本発明は表示装置に関する。また、この液晶装置を搭載したＡＶ（Ａｕｄｉｏ＆Ｖｉｄｕａｌ）機器、ＯＡ機器、携帯情報機器、通信機器等の電子機器に関する。
【０００２】
【従来の技術】
近年、ナビゲーションシステム、テレビ、パームトップコンピュータ、電子手帳、携帯電話等の製品における表示装置として、液晶装置を用いることが多い。また、その匡体に対する画面の大型化や、コストダウンも望まれている。例えば、匡体に対する画面の大型化に対応できるパネル実装方式として、ＣＯＧ（Ｃｈｉｐ  ｏｎ  Ｇｌａｓｓ）実装方式が広く用いられている。この例を、図１２と１３に示す。金属板からなる枠状のシールドケース１８、表示手段２、液晶駆動用ＬＳＩ８、ＣＯＧ実装方式によって、表示手段２と液晶駆動用ＬＳＩ８の能動面に形成されたバンプ９とを電気的に接続するためのＡＣＦ（Ａｎｉｓｏｔｒｏｐｉｃ  Ｃｏｎｄｕｃｔｉｖｅ  Ｆｉｌｍ：異方性導電膜、ＣＯＧ用ＡＣＦ１３）、液晶駆動用ＬＳＩ８に信号を入力するためのＦＰＣ１５、前記ＦＰＣ１５と表示手段２上に形成された外部接続電極１７とを電気的に接続するためのＡＣＦ（ＦＰＣ用ＡＣＦ１４）、全体の強度を保つための保持部材２２であり、図に示すような上下の配置関係で各部材が積み重ねて液晶装置１を構成している。
【０００３】
さらに、一方の面に表示用透明電極層（以下第１の透明電極層）５を設けたソーダガラスからなる表示用基板（以下第１の基板）３と、一方の面に表示用透明電極層（以下第２の透明電極層）６を設けたソーダガラスからなる表示用基板（以下第２の基板）４とを、第１の透明電極層５と第２の透明電極層６とが相対向するように貼り合わせ、この間に液晶組成物を封入して表示手段２を構成している。
【０００４】
【発明が解決しようとする課題】
しかしながら、従来の液晶装置１においては、ＦＰＣ１５をＦＰＣ用ＡＣＦ１４により、表示手段２に接続するため、熱圧着装置を用いた工程を必要としていた。
【０００５】
その結果、熱圧着の残留応力により表示手段２あるいは液晶駆動用ＬＳＩ８が破壊する場合や、ＣＯＧ用ＡＣＦ１３が熱により剥離することがあり、熱圧着の温度は液晶駆動用ＬＳＩ８と表示手段２を接続するＣＯＧ用ＡＣＦ１３の軟化温度より低くする必要があった。
【０００６】
そこで、本発明は、熱圧着装置を用いない、非常に簡単な工程により、コストダウンが図れるとともに、信頼性の高い液晶装置１を提供することを目的とする。また、本発明は安価な電子機器を提供することを目的とする。
【０００７】
【課題を解決するための手段】
本発明の液晶表示装置は、液晶装置において、第１の基板と、前記第１の基板と対向するように配置される第２の基板と、前記第１の基板および前記第２の基板の間に設けられる液晶層と、前記第２の基板の前記第１の基板の一辺から張り出した部分上に接続された液晶駆動用ＬＳＩと、前記液晶駆動用ＬＳＩに信号を入力するためのＦＰＣと、を備え、
前記第２の基板上に第１のラバーコネクタ及び第２のラバーコネクタが配置され、前記第１のラバーコネクタ及び前記第２のラバーコネクタ上に前記ＦＰＣが配置され、前記第１のラバーコネクタ及び第２のラバーコネクタを介して前記ＦＰＣが前記第２の基板に電気的に接続され、前記第１のラバーコネクタ及び前記第２のラバーコネクタは、それらの間に前記液晶駆動用ＬＳＩが位置するように配置され、且つ前記液晶駆動用ＬＳＩおよび前記第１のラバーコネクタ、前記第２のラバーコネクタが前記第１の基板の前記一辺に沿って並んで配置されており、前記ＦＰＣ、前記第１のラバーコネクタ、前記第２のラバーコネクタ、前記液晶駆動用ＬＳＩ及び前記第２の基板は、ケースおよび保持部材の間に配置され、前記ケースには、前記ＦＰＣ、前記第１のラバーコネクタ及び第２のラバーコネクタの位置決めを行うためのツメが設けられていることを特徴とする。
本発明の液晶装置によれば、ＣＯＧ実装方式により駆動用ＩＣを接続した表示手段（以下ＣＯＧパネルと呼ぶ）とラバーコネクタを介するＦＰＣを用いることにより、非常に簡単な構造で、外部とのインターフェイスが実現できる。さらに、熱圧着工程が無くなるので、生産性が向上し、安全に生産できるとともに、コストダウンが実現できる。
前記ツメの前記ケースからの高さは、前記第１のラバーコネクタの厚さおよび前記ＦＰＣの厚さの和より小さいことが好ましい。
又前記ツメは前記ケースの一部を折り曲げることによって形成されてなることが好ましい。
本発明の電子機器は、上記液晶装置を備えることを特徴とする。
【００２３】
【発明の実施の形態】
以下本発明を図面に基づいて説明する。
【００２４】
〔実施例１〕
図１は本発明に係る液晶装置１の第１実施例の分解斜視図で、図２はその断面図、さらに図３はその要部の詳細図である。
【００２５】
まず、構成を説明する。
【００２６】
一方の面に第１の透明電極層５を設けた０．７ｍｍ厚のソーダガラスからなる第１の基板３と、一方の面に第２の透明電極層６を設けた０．７ｍｍ厚のソーダガラスからなる第２の基板４とを、第１の透明電極層５と第２の透明電極層６とが相対向するように貼り合わせ、この間に液晶組成物を封入することにより表示手段２を構成し、ＣＯＧ実装方式で、表示手段２に液晶駆動用ＬＳＩ８をＣＯＧ用ＡＣＦ１３を用いて電気的に接続している。
【００２７】
次に、ＦＰＣ１５がラバーコネクタ１６を介してＣＯＧパネル上に形成された外部接続電極１７と電気的に接続するように、シールドケース１８と保持部材２２で挟み込む。シールドケース１８にはスリット１９が設けてあり、ＦＰＣ１５をスリット１９に通してある。
【００２８】
なお、ラバーコネクタ１６は同等の機能を実現するものであれば、特に限定しないが、例えば、信越ポリマー（株）製のシンエツインターコネクターを用いることができる。
【００２９】
上述の様な構成によれば、熱圧着工程を用いない簡単な工程で、液晶装置１を実現できる。また、ＦＰＣ１５は“Ｔ”型の形状になっているので、ＦＰＣ１５がシールドケース１８から抜けるのを防止することができる。さらに、ラバーコネクタ１６が支持部材の役割を果たすので、匡体内部での表示手段２のズレを防止すると共に、匡体外部より加わる力を、拡散させて、表示手段２の破壊を防止することができる。
【００３０】
〔実施例２〕
図４は本発明に係る液晶装置の第２実施例の要部の詳細図であり、図５はその部分分解斜視図である。
【００３１】
まず構成を説明する。前記実施例１に類似しているが、異なる点は、ＦＰＣ１５とラバーコネクタ１６が収まるようにシールドケース１８の一部を図のように折り曲げてツメ２０を設けているところである。
【００３２】
なお、前記ツメ２０によって囲まれる領域は、ＦＰＣ１５とラバーコネクタ１６の外形より若干大きくすることが必要であるが、ＦＰＣ１５、ラバーコネクタ１６及びＣＯＧパネルの接続ピッチを考慮して決定することは言うまでもない。また、ツメの折り曲げ量（折り曲げ高さ）は特に限定しないが、ラバーコネクタ１６の高さとＦＰＣ１５の厚さの和よりは小さくすることが必要である。
【００３３】
主たる作用、効果は実施例１の場合と同じであるが、本実施例においては、ＦＰＣ１５、ラバーコネクタ１６、ＣＯＧパネルの位置合わせ（アライメント）を容易に行うことができる。
【００３４】
〔実施例３〕
図６は本発明に係る液晶装置１の第２実施例の分解斜視図である。
【００３５】
まず、構成を説明する。前記実施例１に類似しているが、異なる点は、導光板２３、冷陰極管２４、反射シート２５からなるバックライトユニット２６を図のような配置として、液晶装置を構成しているところである。
【００３６】
主たる作用、効果は実施例１の場合と同じであるが、本実施例においては、バックライトからの光により、暗いところでも表示手段からの映像を見ることができる。
【００３７】
〔実施例４〕
図７は本発明に係る液晶装置の第３実施例の斜視分解図である。まず、構成を説明する。前記実施例１に似ているが、異なる点は、２個のラバーコネクタ１６を使い、二又に分かれたＦＰＣ１５を用いているところである。
【００３８】
主たる作用、効果は実施例１の場合と同じであるが、本実施例においては、実施例１に比較して、液晶装置１をさらにコンパクトにできる。
【００３９】
〔実施例５〕
図８は本発明に係る液晶装置の第４実施例の斜視分解図である。まず、構成を説明する。前記実施例１に似ているが、異なる点は、ＦＰＣ１５上に液晶駆動用ＩＣを動作させるために必要な、チップコンデンサあるいはチップ抵抗等のチップ部品２７を半田付けして、取り付けているところである。
【００４０】
主たる作用、効果は実施例１と同じであるが、本実施例においては、ＦＰＣ１５に入力する信号を少なくできるので、使用者は簡単に、液晶装置１を使用することができる。
【００４１】
〔実施例６〕
図９は本発明に係る液晶装置の第５実施例の斜視分解図である。前記実施例１に似ているが、異なる点は、液晶駆動用ＬＳＩ８を複数個用いる際に必要となる、信号をやりとりするためのバスラインをＦＰＣ１５内に内臓しているところである。
【００４２】
主たる作用、効果は実施例１と同じである。
【００４３】
〔実施例７〕
図１０は本発明に係る液晶装置の第６実施例の斜視分解図である。前記実施例１に似ているが、異なる点は、表示手段２の交差する２辺に液晶駆動用ＬＳＩ８が複数個ＣＯＧ方式で接続されており、隣り合う液晶駆動用ＬＳＩ８間で信号をやりとりするためのバスラインをＦＰＣ５に内蔵しているところである。
【００４４】
主たる作用、効果は実施例１と同じである。
【００４５】
〔実施例８〕
図１１は本発明に係る電子機器として、携帯電話２８に使用した第１実施例を示す図である。まず、構成を説明する。液晶装置１は実施例１〜７のうちいずれかに記載したものと同様な構造をしており、これを携帯電話２８の匡体下部３０にビス３２で固定し、コントロール用ＬＳＩ等が搭載された制御回路基板３１に実装される。これに、匡体上部２９を上から被せて、携帯電話２６が構成される。
【００４６】
上述の様な構成によれば、安価で、高信頼性の携帯電話２８を提供できる。
【００４７】
また、実施例１〜７により構成された液晶装置１を、液晶ＴＶ、ハンディターミナル、電子手帳、パーソナルコンピュータ、パームトップコンピュータ、玩具、ナビゲーションシステム用のディスプレイ等の電子機器に搭載した。この場合も、上記と同様の効果を得ることができた。
【００４８】
なお、液晶装置１としては、実施例１〜７以外の構造も使用することができるのは言うまでもない。
【００４９】
【発明の効果】
本発明による液晶装置は、２枚の基板を相対向するように配置するとともにその基板間に液晶層を設けた表示手段と、液晶駆動用ＬＳＩと、信号を入力するためのＦＰＣと、前記表示手段を保護するための匡体と、前記表示手段と前記ＦＰＣとを復帰力により挟持し、電気的に接続するためのラバーコネクタとを備えている。
【００５０】
また、本発明による液晶装置は、一方の面に第１の透明電極層を有する第１の基板の前記第１の透明電極層と、一方の面に第２の透明電極層を有する第２の基板の前記第２の透明電極層と、を相対向するように配置するとともに、前記第１の透明電極層と前記第２の透明電極層との間に液晶層を有した表示
手段と、液晶駆動用ＬＳＩと、信号を入力するためのＦＰＣと、前記表示手段を保護し、前記表示手段と前記ＦＰＣとを挟み込むケース及び保持部材と、前記表示手段と前記ＦＰＣとの間に設置され、前記表示手段の少なくとも一方の基板上に形成された外部接続電極と前記ＦＰＣとを復帰力により挟持し、電気的に接続するためのラバーコネクタとを備えている。
【００５１】
上記した本発明による液晶装置においては、ＣＯＧパネルとＦＰＣの接続にラバーコネクタを用いることにより、非常に簡単な構造で、外部とのインターフェイスが実現できる。さらに、熱圧着工程が無くなるので、生産性が向上し、安全に生産できるとともに、コストダウンが実現できる。
【００５２】
また、本発明による液晶装置は、前記ＦＰＣの位置決めするガイドを設けた構成である。
【００５３】
また、本発明による液晶装置は、前記ケースに前記ＦＰＣの位置決めするガイドを設けた構成である。
【００５４】
本発明によれば、簡単にＦＰＣとラバーコネクタの位置合わせを行うことができる。
【００５５】
また、本発明による液晶装置は、前記ラバーコネクタの位置決めするガイドを設けた構成である。
【００５６】
また、本発明による液晶装置は、前記ケースに前記ラバーコネクタの位置決めするガイドを設けた構成である。
【００５７】
また、本発明による液晶装置は、前記ガイドが、ケースの一部を折り曲げたツメである。
【００５８】
本発明によれば、ＣＯＧ実装方式により液晶パネルに液晶駆動用ＩＣを搭載したＣＯＧパネルとラバーコネクタとＦＰＣの位置合わせが容易になる。
【００５９】
また、本発明による液晶装置は、前記ＦＰＣが抜けないように防止手段を設けた構成である。
【００６０】
また、本発明による液晶装置は、前記ケースに、その開口部がＦＰＣのラバーコネクタ部分との接続部分の幅より小さいスリットを設けた構成である。
【００６１】
また、本発明による液晶装置は、前記ケースの開口部から、抜けない構造のＦＰＣを設けた構成である。
【００６２】
また、本発明による液晶装置は、”Ｔ”型の形状になっているＦＰＣを設けた構成である。
【００６３】
本発明によれば、ＦＰＣが液晶装置の匡体からすり抜けるのを防止するとともに、ＦＰＣと表示手段との接続信頼性を向上させることができる。
【００６４】
また、本発明による電子機器は、上記した本発明のうちいずれかの液晶装置を搭載している。
【００６５】
したがって、本発明の効果により、電子機器内部でのスペースを小さくできるため、電子機器を軽量でコンパクトにできるという効果があるとともに、安価で、高信頼性の電子機器を提供することができる。
【図面の簡単な説明】
【図１】本発明の一実施例を示す分解斜視図。
【図２】本発明の一実施例を示す断面図。
【図３】図２の要部の詳細図。
【図４】本発明の一実施例の要部の詳細図。
【図５】図４の部分分解斜視図。
【図６】本発明の一実施例を示す分解斜視図。
【図７】本発明の一実施例を示す分解斜視図。
【図８】本発明の一実施例を示す分解斜視図。
【図９】本発明の一実施例を示す分解斜視図。
【図１０】本発明の一実施例を示す分解斜視図。
【図１１】本発明の一実施例を示す分解斜視図。
【図１２】従来技術を示す断面図。
【図１３】図１２の要部の詳細図。
【符号の説明】
１．液晶装置
２．表示手段
３．第１の基板
４．第２の基板
５．第１の透明電極層
６．第２の透明電極層
７．シール材
８．液晶駆動用ＬＳＩ
９．バンプ
１０．第１の偏光板
１１．第２の偏光板
１２．反射板
１３．ＣＯＧ用ＡＣＦ
１４．ＦＰＣ用ＡＣＦ
１５．ＦＰＣ
１６．ラバーコネクタ
１７．外部接続電極
１８．シールドケース
１９．スリット
２０．ツメ
２１．下側ケース
２２．保持部材
２３．導光板
２４．冷陰極管
２５．反射シート
２６．バックライトユニット
２７．チップ部品
２８．携帯電話
２９．匡体上部
３０．匡体下部
３１．制御回路基板
３２．ビス
【図１】
0003640740.tif 000002
【図２】
0003640740.tif 000003
【図３】
0003640740.tif 000004
【図４】
0003640740.tif 000005
【図５】
0003640740.tif 000006
【図６】
0003640740.tif 000007
【図７】
0003640740.tif 000008
【図８】
0003640740.tif 000009
【図９】
0003640740.tif 000010
【図１０】
0003640740.tif 000011
【図１１】
0003640740.tif 000012
【図１２】
0003640740.tif 000013
【図１３】
0003640740.tif 000014